(57)【要約】【課題】  ズボンに限らず、場所や会場等、着用者の動きに合った型状やデザインのものを着用しなければならないが、柄が華やかなデザインの生地を使用したズボンでも、着用者が歩行中は華やかであっても、座っている時や静止している時はかえって派手過ぎたりして、上品さに欠けるものが多い。  【解決手段】  前身頃と後身頃とを６a、６ｂの側部において上下方向に縫合してなる一対の脚部を備えたズボンで、各脚部の外側の側部における下端２からふくらはぎ部５aまでの部分を縫合しない非縫合部３となし、該非縫合部において前身頃の縁部と後身頃の縁部とが重なり合っている。その非縫合部において、前身頃と後身頃とに該前身頃と該後身頃とを連結する連結具を跨設したこの連結具は前身頃と後身頃とに対し着脱自在であって、連結具は、尾錠７、チェーン１３、ボタン４、飾り紐７ｂなどの備品で連結することで、通気性が良くなる。【選択図】  図１
2010018922.tif 000002
【特許請求の範囲】
【請求項１】
前身頃と後身頃とを側部において上下方向に縫合してなる一対の脚部を備えたズボンにおいて、
各脚部の外側の側部における下端からふくらはぎ部までの部分を縫合しない非縫合部となし、該非縫合部において前身頃の縁部と後身頃の縁部とが重なり合っていることを特徴とするズボン。
【請求項２】
前記非縫合部において、前記前身頃と前記後身頃とに該前身頃と該後身頃とを連結する連結具を跨設したことを特徴とする請求項１に記載のズボン。
【請求項３】
前記連結具は前記前身頃と前記後身頃とに対し着脱自在であることを特徴とする請求項２に記載のズボン。
【発明の詳細な説明】
【技術分野】
【０００１】
本発明は、ズボンに関するものである。ズボンにはスラックス、ジーンズ、パンツ、パンタロンも含まれている。
【背景技術】
【０００２】
従来のズボンにおいては、老若男女、子供の長短ズボンに関しては裾幅の太細、丈の長短、ポケットの型や位置、ベルト通しの型などの各種デザインや型のものが主流であった。
【０００３】
本発明のズボンは、側部における下端からふくらはぎ部までの部分を縫合しないため、着用者の動きで様々な様子が表現できる非縫合部の広がり過ぎを着脱自在の連結具で跨設した。
【発明の開示】
【発明が解決しようとする課題】
【０００４】
ズボンに限らず衣服は場所や会場等、着用者の動きに合った型状やデザインのものを着用しなければならないが、柄が華やかなデザインの生地を使用したズボンでも、着用者が歩行中は華やかであっても、座っている時や静止している時はかえって派手過ぎたりして優雅さ、上品さに欠けてしまうというものが少なくない。
【０００５】
本発明のズボンは老若男女、子供、長短を問わず非縫合部に着脱自在の連結具（尾錠７、チェーン１３、ボタン４、飾り紐７ｂなど）で装着できるので、従来のズボンより動きやすさや通気性に富み、座っている時、静止している時でも装飾効果も一段と増し、華やかさ優雅さ上品さを表現できシルエットも美しく見せるという利点がある。
【課題を解決するための手段】
【０００６】
本発明は、前身頃と後身頃とを側部において上下方向に縫合してなる一対の脚部を備えたズボン各脚部の外側の側部における下端からふくらはぎ部までの部分を縫合しない非縫合部となし、該非縫合部において前身頃の縁部と後身頃の縁部とが重なり合っている。
【０００７】
前記非縫合部において、前記前身頃と前記後身頃とに該前身頃と該後身頃とを連結する連結具を跨設した連結部は前身頃と後身頃とに対し着脱自在にすることもできる。
【０００８】
非縫合部３の広がり過ぎをおさえる連結具は、尾錠７、チェーン１３、ボタン４、飾り紐７ｂなどを連結するが、連結部は着脱自在のものと着脱しないものとある。
【０００９】
非縫合部３の広がり過ぎをおさえる連結具が、どのズボンにも装着可能なように各脚部の外側の側部における下端からふくらはぎ部までの中間の位置に連結部７を止める連結具ホック凹１１を装着するがこのホック凹１１の左右の付幅は必ず一定にする。
【００１０】
連結部７を装着するホック凹１１の左右の付幅が一定なことにより、連結具の型や部分が変わっても自由に着脱自在に取り替えることが可能で１本のズボンで何通りにも変化でき、ファッション性と利用価値が高まる。
【発明の効果】
【００１１】
本発明に係るズボンは上述した構造で成り、このズボンで着用者が歩行や運動をすると脚部の外側の側部の非縫合部がその度に開閉を繰り返すために通気性に優れ蒸れも減少し、快適に行動しやすいのでシルエットを美しく見せられる。
【００１２】
本発明のズボンは老若男女、子供を問わず着用でき、夏期の短ズボンにも併用でき、幅広く利用できて、かつ華やかで優雅、気品と上品さも持ち合わせた装飾性豊かで多目的に利用価値が広がり想像以上にファッション性に富んだズボン。
【発明を実施するための最良の形態】
【００１３】
ズボン本体１の裾部外側２と裾部内側９の下端からふくらはぎ部５aまでの部分を縫合しない非縫合部３、非縫合部の内側のかくれた部分３aと非縫合部の裏面の部分３bが広がり過ぎないように連結具７を着脱自在に装着するために連結具の尾錠の型状７aや連結具の飾り紐７ｂ、連結具チェーン１３などの部分があり、連結具７を装着する連結手段に図のホック凹１１を２と９の裾部に装着し、図のホック凸１２を連結具７の先端に連結具のの型状７aへ装着することにより裾部に重心がかかるためズボンの折り目が際立って美しいシルエットになり、裾口を従来のものより格段に綺麗に見せる美的効果があり、自分らしさを表現し、自由を象徴できるズボン。
【産業上の利用可能性】
【００１４】
キュロット、スカートにも利用できる。
【図面の簡単な説明】
【００１５】
【図１】裾部を縫合してない非縫合部の側面図。
【図２】裾部を非縫合部に連結具を装着している側面図。
【図３】本体の非縫合部に連結具のチェーンを装着した側面図。
【図４】本体の非縫合部に連結具の尾錠を装着した側面図。
【図５】本体の内側の裾非縫合部に連結具の尾錠を装着した側面図。
【図６】非縫合部の外側に装着する連結具の正面図。
【図７】非縫合部の外側に装着する連結具の背面図。
【図８】裾非縫合部に連結具を装着した側面の拡大図。
【図９】裾非縫合部に連結具を装着していない側面の拡大図。
【図１０】本体ズボンを真下から見た連結具を装着した構造と断面図。
【図１１】本体ズボンを真正面から見て連結具を装着した構造と正面図。
【符号の説明】
【００１６】
１    ズボン本体
２    裾部外側面
２a   裾前部
２b   裾後部
３    非縫合部
３a   非縫合部の内側にかくれた後部の布生地の部分
３b   非縫合部の前部の布生地を広げたの部分
４    連結具のボタン
５    本体側面外側の縫合線
５a   ふくらはぎ部
６a   後部外側の布生地
６b   後部外側の布生地
７    連結具の尾錠本体
７a   連結具の尾錠の先端の型状
７b   連結具の飾り紐
８    本体側面、内側の縫合線
９    裾部内側面
１０a 後部内側の布生地
１０b 前部外側の布生地
１１  ホック凹
１２  ホック凸
１３  連結具のチェーン
【図１】
2010018922.tif 000003
【図２】
2010018922.tif 000004
【図３】
2010018922.tif 000005
【図４】
2010018922.tif 000006
【図５】
2010018922.tif 000007
【図６】
2010018922.tif 000008
【図７】
2010018922.tif 000009
【図８】
2010018922.tif 000010
【図９】
2010018922.tif 000011
【図１０】
2010018922.tif 000012
【図１１】
2010018922.tif 000013